(57)【要約】【課題】  ビルトインタイプの食器洗い機のすすぎ運転について、高温多湿の排気が人に吹き付けられることによる不快感、危険性をなくしつつ、食器乾燥能率を可及的に高くして食器洗い作業時間が長くなることをできるだけ避けられるように、すすぎ工程制御を工夫すること。【解決手段】  排気口近傍に人が立っていることを感知する人感知器（センサー）を備えているビルトインタイプの食器洗い機について、加熱すすぎ行程の終了直前に上記人感知器が人を感知したときは、加熱すすぎ行程の終了時点で洗浄槽内のヒータをＯＦＦにして、すすぎ行程を継続し、すすぎ水温が所定温度以下に低下したとき、洗浄ポンプを停止させ、排水し、乾燥ファンを始動させること。  なお、加熱すすぎ温度は通常７０℃以上である。  また、上記「所定温度」は幼児等に対しても安全な温度であり、ほぼ６０℃である。【選択図】図４
2008000177.tif 000002
【特許請求の範囲】
【請求項１】
排気口近傍に人が立っていることを感知する人感知器（センサー）を備えているビルトインタイプの食器洗い機において、
加熱すすぎ行程の終了直前に上記人感知器が人を感知したときは、加熱すすぎ行程の終了時点で洗浄槽内のヒータをＯＦＦにして、すすぎ行程を継続し、
すすぎ水温が所定温度未満に低下したとき、洗浄ポンプを停止させ、排水し、乾燥ファンを始動させることを特徴とするビルトインタイプの食器洗い機。
【請求項２】
上記所定のすすぎ水温度が６０℃である請求項１のビルトインタイプの食器洗い機。
【請求項３】
乾燥行程の運転中に上記人感知器が人を感知したとき、排気温が所定温度以上である場合は乾燥ファンによる送風量を半減させ、
排気温度が所定温度未満に低下したとき乾燥ファンを全出力で運転することを特徴とする請求項１のビルトイン対応の食器洗い機。
【請求項４】
上記所定の排気温度が６０℃である請求項３のビルトインタイプの食器洗い機。
【発明の詳細な説明】
【技術分野】
【０００１】
この発明は 、ビルトインタイプの食器洗い機、殊にそのすすぎ運転及び乾燥排気の制御システムに関するものであり、上記食器洗い機の排気口近傍に人が立っているとき、高温多湿の排気が人間に吹き付けられることを回避しつつ食器乾燥を可及的に能率的に行い、可及的に短時間で食器洗浄作業を終了させることができるものである。
【背景技術】
【０００２】
食器洗い機では洗浄槽内のヒーターで洗浄水を加熱して、洗浄、すすぎを行うが、７０℃以上まで加熱して殺菌処理を兼ねた高温すすぎ（湯すすぎ）が行われている。このような加熱すすぎ（高温すすぎ）が行われると食器が高温に加熱されるので、そのままで乾燥行程を実行すると乾燥が速やかになされる。他方、高温多湿の排気がその排気口から排出されることになる。
【０００３】
ところで、ビルトインタイプの食器洗い機の場合、一般的にその排気口が大人の腰の高さ位置、幼児の顔の高さ位置にあり、加熱すすぎに続いて乾燥行程が実行されるとき、その初期において高温多湿の排気が排出口から排出される。このとき排気口の前に人が立つとその高温多湿の排気が大人の腰、幼児の顔にかかり、不快感を与えるなど好ましくない（図１参照）。このような問題に対処する排気制御システムの発明が公知である。その一例が排気口の近傍に人が存在するときは乾燥ファンを停止して乾燥排気の吹き出しを防止するものであり（特開平８−９８７９６号公報）、また、加熱すすぎに続いて乾燥行程が実行されるときに高温多湿の乾燥空気が排出されることに着目し、その場合は人の存否に関わらず、乾燥行程の初期において乾燥ファンによる送風量を半減させて排気温度を低くし、所定時間経過後に乾燥ファンによる全出力送風にするものである（特許第２５１７０２６号公報）。
【０００４】
上記特開平８−９８７９６号公報（公知文献１）に記載されているものは、
その基本構成が図２に示すようなものであり、各種操作キー１を使って洗浄コース選択等の操作を行い、次いでスタートスイッチ（スタートボタン）を操作して運転を始動させる。選択したコースの各行程が実行され、すすぎ行程に続いて最後に乾燥行程が実行される。加熱すすぎの後に乾燥行程が始まると食器洗い機Ｍの排気口Ｐから高温多湿の排気Ｅが排出される。
【０００５】
乾燥行程中に食器洗い機Ｍの排気口Ｐの近傍に人Ｈが立つと、これが人感知器（例えば超音波センサー）２で検知される。この人感知信号により制御回路３が駆動回路４を制御し、乾燥ファン５、ヒータ６を停止させ、警報ブザー８を作動させる。
上記のように、排気口Ｐの前に人Ｈが立ち、これが人感知器２で感知されている間は乾燥ファン５は停止されているので乾燥運転はなされず、人Ｈが感知されなくなってから乾燥運転が開始され、所定時間の乾燥運転がなされるものである。そのため、所要時間が長くて乾燥能率が低く、食器洗い作業の所要時間がそれだけ長くなる。
【０００６】
また、特許第２５１７０２６号公報（公知文献２）のものでは、排気口の前に人Ｈが立っているか否かに関わりなく乾燥運転がスタートする。しかし、その初期の所定時間Ｔ０は風量が半減され、洗浄槽内の食器温度が低下したとき送風量を全量にするものであるが、上記所定時間は洗浄槽内が乾燥空気で所定温度まで冷却されるのに必要な時間であって短くはないので乾燥能率が低く、食器洗い作業の所要時間がそれだけ長くなる。
【０００７】
上記従来技術は排気口の近傍に人が立っていてこれを検知したときに乾燥運転を制御することに上記問題の原因がある。しかし、上記問題は洗浄槽内の食器が高温であるときの排気によるものであるから、これを速やかに回避することで解消されることは明らかであり、したがって、乾燥行程の前の加熱すすぎ行程を制御することによって、この問題は合理的に解決されることが十分推認される。
【特許文献１】特開平８−９８７９６号公報
【特許文献２】特許第２５１７０２６号公報
【発明の開示】
【発明が解決しようとする課題】
【０００８】
この発明は、ビルトインタイプの食器洗い機のすすぎ運転について、高温多湿の排気が人に吹き付けられることによる不快感、危険性をなくしつつ、食器乾燥能率を可及的に高くして食器洗い作業時間が長くなることをできるだけ避けられるように、すすぎ行程制御を工夫することをその課題とするものである。
【課題を解決するための手段】
【０００９】
〔解決手段１〕
上記課題を解決するための手段１は、排気口近傍に人が立っていることを感知する人感知器（センサー）を備えているビルトインタイプの食器洗い機について、次の（イ）（ロ）によって構成されるものである。
（イ）加熱すすぎ行程の終了直前に上記人感知器が人を感知したときは、加熱すすぎ行程の終了時点で洗浄槽内のヒータをＯＦＦにして、すすぎ行程を継続し、
（ロ）すすぎ水温が所定温度未満に低下したとき、洗浄ポンプを停止させ、排水し、乾燥ファンを始動させること。
なお、上記構成（イ）における「加熱すすぎ行程の終了直前」は、加熱すすぎ行程終了の数秒前から終了時点までのことを意味し、加熱すすぎ行程終了と同時に高温排気が排気されてこれが排気口近傍にいる人に吹き付けられることを確実に防止するために必要な程度の直前である。
また、上記の加熱すすぎ水温は通常７０℃以上である。
さらに、上記「所定温度」は幼児等に対しても安全な温度であり、ほぼ６０℃未満である。
【００１０】
〔作用〕
加熱すすぎ行程の終了直前の時点で排気口の近傍に人が立っていてこれが感知されると、当該加熱すすぎ行程終了時点（制御プログラム上の終了時点）でヒータを停止してすすぎ運転を継続するので、速やかに水温及び食器表面温度が安全温度まで低下する。そして、所定温度まで低下させて後に全力での乾燥行程を開始させることができる。したがって、排気口近傍に立っている人の安全確保のためにすすぎ水温を所定温度未満に低下させるための所要時間を短くし、乾燥行程終了までの所要時間を短縮することができ、乾燥作業能率を向上させることができる。
【００１１】
〔実施態様〕
ヒータをＯＦＦさせた状態ですすぎ運転を続行するとすすぎ水温は速やかに低下するが、その間に給水を行ってこれを高温水と混合すれば、きわめて短時間（例えば６０秒程度）で所定温度まで低下する。したがって、加熱すすぎ終了時点からきわめて短時間後に乾燥ファンを全力で駆動して全風量で乾燥運転を実行することができ、乾燥作業能率を一層向上させることができる。
【００１２】
〔解決手段２〕
上記課題を解決するための手段２は、解決手段１を前提として、次の（ハ）（ニ）によるものである。
（ハ）乾燥行程の運転中に上記人感知器が人を感知したとき、排気温が所定温度以上である場合は乾燥ファンによる送風量を半減させ、
（ニ）排気温度が所定温度未満に低下したとき乾燥ファンを全出力で運転すること。
なお、上記の「所定温度」は排気が幼児の顔に吹き付けられても安全な温度であって、ほぼ６０℃未満である。
【００１３】
〔作用〕
加熱すすぎ行程中は人感知器が人を感知せず、このために乾燥行程が普通に始動したとき、その後の乾燥行程中に人感知器が人を感知し、そのときの排気温度が所定温度（例えば６０℃）以上のとき、乾燥ファンによる送風量を半減してこれで乾燥行程が実行される。そして送風量が半減されると排気温度が安全な温度以下に低下する（これは上記公知文献２のものと同じ）。そして、排気温度が安全な所定温度未満に低下すると、すぐに全力で乾燥運転が実行されるので乾燥作業が速やかに終了される。
【発明の効果】
【００１４】
加熱すすぎ行程の実行中に排気口Ｐの近傍に人Ｈが立って人感知器（超音波センサーなど）２でこれが感知されると、当該「加熱すすぎ行程」の終了時刻になるとヒータ６を停止させ、洗浄ポンプを駆動してすすぎ運転を続行させる。この運転は排気口Ｐの近傍から人が立ち退くまでか、あるいはすすぎ水の温度が所定温度まで低下するまで続行される。そして、排気口近傍から人が立ち退くか、又はすすぎ水温が所定温度まで低下すれば、排水ポンプで排水し、その後に乾燥行程が全出力で開始され、あるいは、人Ｈが感知されているときは、排気温度が所定温度に下がるまで乾燥ファンの出力を１／２に落として乾燥運転が行われる。したがって、人が感知されたときの乾燥行程開始の遅延を最小限にすることができ、食器洗い作業を可及的に速やかに終了させることができる。
【発明を実施するための最良の形態】
【００１５】
〔実施例１〕
次いで、この発明を引き出し式食器洗い機に適用した実施例１を図２，図３，図４を参照して説明する。
この実施例の食器洗い機はその基本構成が従来のものと違いはなく、給水制御、洗浄制御、排水制御などの一連の洗浄作業がＣＰＵによって制御される。洗浄作業がスタートすると、洗浄行程、すすぎ行程、加熱すすぎ（湯すすぎ）行程、乾燥行程を、順次実行して、洗浄作業が終了する（図３）。
【００１６】
非加熱洗浄運転が終了すると加熱すすぎ行程が開始され（Ｓ１）、所定の水位レベルまで給水し（Ｓ１−１）、洗浄ポンプをＯＮさせ、ヒータをＯＮさせる（Ｓ２）。温度検知手段がすすぎ水温７０℃を検知すると（Ｓ３）、温調制御（ヒータ６の制御がＯＮ／ＯＦＦ制御による温調）がスタートし、タイマーがスタートする（S４）。
タイマーがスタートして９０秒が経過すると（Ｓ５）、この時点でヒータが完全にＯＦＦされて（Ｓ５−２）、加熱すすぎ行程が終了する。この加熱すすぎ行程終了時に、人感知器２で人が感知されなければ（Ｓ６）、洗浄ポンプが停止され（Ｓ７）、排水がなされる（Ｓ８）。
他方、加熱すすぎ行程終了時に人が感知されれば、警報ブザー８を作動させてアラームを発し（Ｓ９）、洗浄ポンプの運転が継続され、温度検知器がすすぎ水温度６０℃未満を検知するまですすぎ運転が続行される（Ｓ１０）。ただし、その間に人感知器２が人Ｈを感知しなくなれば（Ｓ１１）、洗浄ポンプが停止され（Ｓ７）、排水が行われる（Ｓ８）。    
【００１７】
〔実施例２〕
実施例１は、人が感知されると（Ｓ６）、ヒータ（加熱ヒータ）６を止め、すすぎ水温が６０℃未満に低下するまですすぎ運転を継続して、同水温が６０℃未満に低下するのを待つものであるが、実施例２は給水して積極的にすすぎ水を冷却し、短時間ですすぎ水温を６０℃未満に低下させるものである。
以上のようにして、人Ｈが食器洗い機の排気口付近から立ち退いて人感知器２が人を感知しなくなるか、又はすすぎ水温が６０℃未満に低下するかのいずれかによって排水がなされ、乾燥運転が開始される。
【００１８】
乾燥運転中で排気温度が６０℃以上の状態において人感知器２が人を感知すると、排気ファン５の出力が１／２に下げられ、その状態で乾燥運転が継続される。そして排気温度が６０℃未満に低下するとすぐに乾燥ファンが全出力で運転されて全風量乾燥に切り換えられる。
【図面の簡単な説明】
【００１９】
【図１】引き出し式食器洗い機から乾燥空気が排出される様子を模式的に示す側面図である。
【図２】は実施例の構成のブロック図である。
【図３】は実施例の加熱すすぎ行程の動作フロー図である。
【図４】は実施例の加熱すすぎ行程のフローチャート図である。
【符号の説明】
【００２０】
１：各種操作キー
２： 人感知器
３：制御回路
４：駆動回路
５：乾燥ファン
６：ヒータ
７：表示装置
８：警報ブザー
９：水温検知器
【図１】
2008000177.tif 000003
【図２】
2008000177.tif 000004
【図３】
2008000177.tif 000005
【図４】
2008000177.tif 000006